(57)【要約】【課題】上下２重シャッタを用いた硬貨処理装置においては、下部シャッタに設けた開口部から硬貨を投入する。しかし、この開口部から硬貨を投入せずに下部シャッタ上に硬貨を残置されてしまうことがある。この状態では上部シャッタを閉められないため、顧客に除去を案内するか、下部シャッタを全開して入出金口を完全に露出させて硬貨を入出金口に取り込む必要があった。【解決手段】下部シャッタ２の前縁２ａと入出金口３の前端３ａの間に隙間１３を設け、下部シャッタ２上に残置された硬貨４ａを上部シャッタ１の閉動作Ｂにより、押し移動させて隙間１３へ押込む。隙間１３から硬貨４ａを入出金口３内に落下させることにより、残置された硬貨を入出金口３内に取り込んで、取引を継続させる。隙間１３は、硬貨のみが通過可能とするために、硬貨の厚みよりも大きく、硬貨の外形よりも小さいものである。【選択図】図１
2008171252.tif 000002
【特許請求の範囲】
【請求項１】
硬貨の投入、受け取りを行う入出金口と、該入出金口を開閉する上部シャッタと、硬貨のみ投入できる開口部を有し前記上部シャッタとは独立して上記入出金口を開閉する下部シャッタとを有する硬貨処理装置において、前記上部シャッタ及び下部シャッタの少なくとも一方が閉じている状態で、前記下部シャッタ上に置かれた硬貨を前記入出金口内に取り込むか、または前記下部シャッタの上から排除することを特徴とする硬貨処理装置。
【請求項２】
請求項１に記載の硬貨処理装置において、前記下部シャッタが閉じた状態で、該下部シャッタの前縁と前記入出金口の間に、硬貨のみが通過可能な、硬貨の厚みよりも大きく外形よりも小さな隙間を有し、前記上部シャッタが閉じる際に、前記下部シャッタ上に置かれた硬貨を押し移動させて、前記隙間から前記硬貨を前記入出金口内に取り込むことを特徴とする硬貨処理装置。
【請求項３】
請求項１に記載の硬貨処理装置において、前記上部シャッタと下部シャッタの間に、硬貨のみを挟むことが可能な、硬貨の厚みより大きく外形より小さな隙間を有し、前記下部シャッタが閉じた状態で前記上部シャッタが閉じたときに、前記隙間に前記下部シャッタ上に置かれた硬貨を取り込み、前記上部シャッタを閉じた状態で前記下部シャッタを全開することにより前記硬貨を前記入出金口内に取り込むことを特徴とする硬貨処理装置。
【請求項４】
請求項１に記載の硬貨処理装置において、前記下部シャッタが閉じたときに該下部シャッタの前縁と前記入出金口の前端上面が連続した傾斜面を形成し、前記上部シャッタが閉じる際に前記下部シャッタ上に置かれた硬貨を押して、前記入出金口の前端上面へ移動させることを特徴とする硬貨処理装置。
【請求項５】
請求項４に記載の硬貨処理装置において、さらに前記入出金口の前端上面に硬貨の有無を検出する手段を設け、該検出手段が硬貨を検出したときに、操作者に通知して返却を促すことを特徴とする硬貨処理装置。
【発明の詳細な説明】
【技術分野】
【０００１】
本発明は操作者による硬貨の投入、受け取りを行う入出金口を持つ硬貨処理装置に係り、特に、入出金口を開閉するシャッタ機構に関する。
【背景技術】
【０００２】
現金自動取引装置に搭載される硬貨処理装置は、利用者（操作者）により硬貨の投入、受け取り行う入出金口を有する。入出金口はシャッタにより通常は閉塞した状態にしてある。硬貨の投入、受け取りが必要になった時点でシャッタを開けて入出金口を露出させ、硬貨の投入、受け取りを可能にする。硬貨投入完了後はシャッタを閉めて、入出金口に投入された硬貨を装置内に取り込んで計数処理を行う。硬貨受け取り完了後もシャッタを閉めた後、入出金口の硬貨が全て受け取られたか確認して、全て受け取られていれば取引を終了する。受け取られていなければ再びシャッタを開けて受け取りを操作者に促す。
【０００３】
このとき、投入時に入出金口を完全に露出すると、硬貨とともにゴミ、異物を投入されてしまう問題がある。このため、特許文献１に記載されているように、投入時は硬貨のみが投入できる開口部を持つシャッタを用いて硬貨のみを投入してもらい、受け取り時はシャッタを全開させて入出金口を完全に露出させて受け取ってもらう方法がある。この方法では、上部シャッタと、硬貨のみが投入できる開口部を持つ下部シャッタとを有する上下２重シャッタ構造を持ち、投入時は上部シャッタのみを全開して下部シャッタに開けられた開口部から投入を行い、受け取り時は、上部，下部シャッタともに全開して入出金口を完全に露出させて受け取りを行う。
【０００４】
【特許文献１】特開平１０−３３４３０５号公報
【発明の開示】
【発明が解決しようとする課題】
【０００５】
上下２重の入出金口シャッタを持つ硬貨処理装置においては、硬貨の投入時には上部シャッタのみが全開し、下部シャッタに設けた硬貨のみが投入できる開口部のみが露出する。この開口部から硬貨を確認しながら少量づつ投入してもらうことにより、装置内に投入されると故障を引き起こす硬貨より大きなゴミ、異物の混入を防止する。しかし、硬貨が一度に投入できず少数枚に限定されるため、下部シャッタに設けた開口部から投入せずに下部シャッタ上に硬貨を残置されてしまう場合がある。例えば硬貨を一度に投入できる１重シャッタ方式に慣れている利用者においては、下部シャッタに設けた開口部へ投入する方式に気がつかず、そのまま下部シャッタ上に一度に硬貨を置いてしまう傾向がある。また、多量の硬貨を投入する目的の利用者においては、硬貨を確認しながら少量ずつ投入する必要があるために時間が必要であり、取引の時間制限に達した時点で残り硬貨を下部シャッタ上に置いてしまうこともある。
【０００６】
このような場合、残置された硬貨が邪魔をするために、上部シャッタを完全に閉じることが出来ず、投入処理が完了できず取引が異常終了して装置の稼働率が低下してしまうという問題が生じる。
【０００７】
特許文献１には、残置硬貨により上部シャッタを完全に閉じることができない場合は、上部シャッタを全開したのち下部シャッタを全開させて、上下シャッタを同時に開くことにより、下部シャッタ上に残置された硬貨を装置内に取り込む方法も提案されている。しかしこの方法では、入出金口を完全に露出するために、操作者が手を入出金口内に挿入することが可能となり、さらには機器故障につながる硬貨より大きな大型異物も装置内に取り込むことになり、故障の引き金になる。このため、下部シャッタに開口部を設けて硬貨より大きなゴミ、異物の混入を防止した効果が減少する。
【０００８】
本発明の目的は、硬貨処理装置において、入出金口への手挿入の防止、大型異物の混入防止効果を維持しつつ、下部シャッタ上に残置された硬貨に起因する硬貨詰まりを防止することにある。
【課題を解決するための手段】
【０００９】
前述の目的を達成するために、本発明の硬貨処理装置においては、硬貨の投入、受け取りを行う入出金口と、入出金口を開閉する上部シャッタと、硬貨のみ投入できる開口部を有し上部シャッタとは独立して入出金口を開閉する下部シャッタとを有し、上部シャッタ及び下部シャッタの少なくとも一方が閉じている状態で、下部シャッタ上に置かれた硬貨を入出金口内に取り込むか、または下部シャッタの上から排除することを特徴とする。
上記の構成により、下部シャッタ上に残置された硬貨を取り込むもしくは排除する際に、入出金口が完全に露出することがなくなり、手を入出金口内に挿入することは不可能となる。また、硬貨より大きなゴミ、異物を入出金口内に投入することも不可能となるため、機器故障による装置稼働率の低下を防止できる。
【００１０】
実施例１による硬貨処理装置においては、下部シャッタが閉じた状態で、下部シャッタの前縁と入出金口の間に、硬貨のみが通過可能な、硬貨の厚みよりも大きく外形よりも小さな隙間を有し、上部シャッタが閉じる際に、下部シャッタ上に置かれた硬貨を押し移動させて、前記隙間から硬貨を入出金口内に取り込むものである。
【００１１】
実施例２による硬貨処理装置においては、上部シャッタと下部シャッタの間に、硬貨のみを挟むことが可能な、硬貨の厚みより大きく外形より小さな隙間を有し、下部シャッタが閉じた状態で上部シャッタが閉じたときに、前記隙間に下部シャッタ上に置かれた硬貨を取り込み、上部シャッタを閉じた状態で下部シャッタを全開することにより前記硬貨を入出金口内に取り込むものである。
【００１２】
実施例３による硬貨処理装置においては、下部シャッタが閉じたときに下部シャッタの前縁と入出金口の上面が連続した傾斜面を形成し、上部シャッタが閉じる際に下部シャッタ上に置かれた硬貨を押して、入出金口の上面へ移動させるものである。
【００１３】
実施例３による硬貨処理装置において、さらに入出金口の上面に硬貨の有無を検出する手段を設け、この検出手段が硬貨を検出したときに、操作者に通知して返却を促すようにするのが望ましい。
【発明の効果】
【００１４】
本発明によれば、硬貨処理装置において、入出金口への手挿入の防止、大型異物の混入防止効果を維持しつつ、下部シャッタ上に残置された硬貨に起因する硬貨詰まりを防止することができる。
【発明を実施するための最良の形態】
【００１５】
まず、図２を参照して本発明の硬貨処理装置が搭載される現金自動取引装置の構成を説明する。現金自動取引装置１００は金融機関等に設置され、顧客（利用者）の操作によって現金の入金や出金等の取引を行い、利用者の要求する種々の取引を自動的に実行する装置である。内部には、入力兼表示機能を備えた顧客操作部１０５、カードの読み取り及び明細票発行機能を備えたカード・明細票取扱部１０２、通帳取扱部１０３、紙幣入出金機構部１０４、硬貨処理装置１０１などで構成されている。
【００１６】
図３は、本発明の各実施例に係る硬貨処理装置１０１の全体構成を示す図である。硬貨処理装置１０１は、現金自動取引装置１００に内蔵されていて、バラ状態の硬貨４を取扱いの対象としている。入出金口３は硬貨処理装置１０１の上部に設けられ、投入された入金すべき硬貨４を一時的に保持した後に装置内部に取り込んだり、内部から搬送されて来る出金すべき硬貨を一時的に保持した後に外部に取り出し可能にしたりする。上部シャッタ１および下部シャッタ２は、入出金口３を開放または閉塞するもので、それぞれ独立に開閉動作できるように構成されている。５は入出金口３から送られて来る硬貨４を一枚ずつ分離して送り出す繰出し部である。６は繰出し部５から送られて来る硬貨４の真偽または金種を識別する硬貨識別部である。８は硬貨４を一括して一時的に保留する一時保留部である。７は入金する硬貨４を金種別にスタッカ９に搬送する入金搬送部である。９は入金搬送部７により搬送されて来る硬貨４を金種別に収納するスタッカである。１０は一時保留部８から排出される硬貨４を一括して収納する一括スタッカである。１１は補充用の硬貨をセットするカートリッジである。
【００１７】
次に、上記硬貨処理装置１０１の概略動作を説明する。硬貨４の入金処理の場合は、操作者によって顧客操作部１０５が操作されて入金処理の開始が指示されると、上部シャッタ１を開いて下部シャッタ２を露出させる。そして、下部シャッタ２に設けられた開口部１２からバラ状態の硬貨４が投入されると、しばらくした後に上部シャッタ１を閉じて入出金口３を閉塞し、投入された硬貨４を入出金口３に一時的に保持した後に内部に取り込む。硬貨４を取り込むと、繰出し部５で硬貨４を一枚ずつ分離して硬貨識別部６に搬送し、硬貨識別部６で硬貨４の真偽判定と金種判定を行う。このとき硬貨識別部４で識別された硬貨４は、一時保留部８に搬送される。そして、投入された全ての硬貨４の識別が完了すると、入金金額の算出を行い、入金金額を顧客操作部１０５に表示する。ここで、顧客によって顧客操作部１０５が操作されて入金の実行が指示されると、一時保留部８にある硬貨４を一括スタッカ１０へ収納するか、もしくは入金搬送部７によって搬送し金種別にスタッカ９に収納する。そして、投入された全ての硬貨４の収納が完了すると、入金処理が終了となる。
【００１８】
図４は上記硬貨処理装置１０１のブロック構成図である。なお、ここでは以下に説明する各実施例に関係するブロック構成のみを示している。３２は上部シャッタ１を駆動するモータ、３３は上部シャッタ開を確認するセンサ、３４は閉を確認するセンサである。３５は下部シャッタ２を駆動するモータ、３６は下部シャッタ開を確認するセンサ、３７は閉を確認するセンサである。３８はＲＯＭやＲＡＭ等からなるメモリ、３１はＣＰＵからなる制御部であって、硬貨処理装置１０１の動作全体を制御する。３９は上位装置であって、硬貨処理装置１０１が内蔵される自動取引装置１００の制御部である。
【００１９】
図１は実施例１による硬貨処理装置１０１が有する上下２重シャッタの断面図である。本断面図を用いて、概略構造を説明する。図１(ａ)に示すように、上部シャッタ１は下部シャッタ２と接して重なっており、スライドして開閉することが可能である。開動作Ａにより、下部シャッタ２と開口部１２を露出させる。下部シャッタ２は、上部シャッタ１とは独立にスライドして開閉することが可能である。また、下部シャッタ２の中央部には、硬貨４のみが通過できる開口部１２が設けられている。入出金口３は、通常は上部シャッタ１と下部シャッタ２で覆われており、入金時に上部シャッタ１が開くことにより、下部シャッタ２の開口部１２から硬貨４の投入を行うことが可能となる。下部シャッタ２の前縁２ａと入出金口３の前端３ａとの間には、下部シャッタ２が閉じた状態で、硬貨のみが通過可能な、硬貨の厚みよりも大きく、硬貨の外形よりも小さな隙間１３が設けられている。
【００２０】
操作者は、入金時、開口部１２から硬貨４を入出金口３に投入する。しかし、開口部１２から投入せずに、下部シャッタ２の上に硬貨を残置してしまうことがある。この状態で上部シャッタ１を閉じると、下部シャッタ２に残置された硬貨が、下部シャッタ２と上部シャッタ１の間に詰まり、上部シャッタ１を閉じることができなくなる。
本実施例では、図４(ｂ)示すように、上部シャッタ１が閉動作Ｂを行うときに、下部シャッタ２上に残置された硬貨４ａを上部シャッタ１の前縁で押し移動させ、下部シャッタ２の前縁２ａと入出金口３の前端３ａとの隙間１３に押し入れる。硬貨４ａは上部シャッタ１に押され、隙間１３を通過することにより硬貨４ｂの位置に移動して入出金口３の内部へ落下、投入される。
【００２１】
図５は実施例２による硬貨処理装置１０１が有する上部シャッタ１と下部シャッタ２の間に隙間１４を持つ上下２重シャッタの断面図である。本断面図を用いて概略構成を説明する。但し、上記実施例１と同じ構成についての説明は省略する。図５(ａ)に示すように、上部シャッタ１と下部シャッタ２は硬貨４のみが通過できる隙間１４を持って重なっており、それぞれ独立にスライドして開閉することが可能である。上部シャッタ１の開動作２Ａにより、下部シャッタ２と開口部１２を露出させる。
【００２２】
操作者は開口部１２から硬貨４を入出金口３に投入するが、しかし、開口部１２から投入せずに、下部シャッタ２の上に硬貨を残置した場合、本実施例では、図５(ｂ)示すように、上部シャッタ１が閉動作２Ｂを行うときに、下部シャッタ２上に残置された硬貨４ａを上部シャッタ１と下部シャッタ２の隙間１４に取り込む。この状態で下部シャッタ２のみが開動作２Ｃを行うことにより、硬貨４ａは下部シャッタ２と入出金口の後端３ｂに押されて硬貨４ｃの位置に移動して、入出金口３の内部へ落下、投入される。
【００２３】
図６は実施例３による硬貨処理装置１０１が有する入出金口３と下部シャッタ２が接して平滑な面を形成する２重シャッタの断面図である。本断面図を用いて概略構成を説明する。図６(ａ)に示すように、上部シャッタ１と下部シャッタ２は接して重なっており、開動作３Ａにより下部シャッタ２と開口部１２を露出させる。下部シャッタ２の前縁２ａと入出金口の前端上面３ｃは、接した際に平滑なスロープ形状１５を形成するように構成されている。入出金口の前端上面３ｃには、返却された硬貨を検出する返却センサ１６が設けられている。
【００２４】
操作者が、開口部１２から硬貨４を入出金口３に投入するが、下部シャッタ２の上に硬貨を残置した場合、本実施例では、図６(ｂ)示すように、上部シャッタ１が閉動作３Ｂを行うときに、下部シャッタ２上に残置された硬貨４ａを押し出し、下部シャッタ２と入出金口の前端上面３ｃが接して形成された平滑なスロープ形状１５部分を滑らせて、下部シャッタ２上から排除する。これにより硬貨４は、硬貨４ａの位置から硬貨４ｄの位置に移動するため、上部シャッタ１を閉じることが可能となる。さらに、返却センサ１６はこれを検出して操作者に返却の案内をすることが可能となる。
【００２５】
次に図７を参照して、上記各実施例における硬貨投入、返却処理の手順を説明する。図７(ａ)は図１で示される実施例１における硬貨の投入処理のフローチャートである。先ず、上部シャッタ１を開けて（Ｓ０１）、図８(ａ)で表されるような開口部１２への硬貨の投入案内を行う（Ｓ０２）。その後、確認ボタン押下の確認（Ｓ０３）がYesとなれば、上部シャッタ１を閉じる（Ｓ０４）。確認ボタン押下の確認（Ｓ０３）がNoであれば、硬貨の投入案内（Ｓ０２）を継続する。上部シャッタ１を閉じる（Ｓ０４）ことにより、下部シャッタ２上に残置された硬貨を押し移動させて、下部シャッタ２の前縁２ａと入出金口３の前端３ａとの隙間１３から硬貨４を入出金口３に投入する。上部シャッタ１を閉じた（Ｓ０４）後、入金取引を開始する（Ｓ０５）。
【００２６】
図７(ｂ)は図５で示される実施例２における硬貨の投入処理のフローチャートである。先ず、上部シャッタ１を開けて（Ｓ１１）、図８(ａ)で表されるような開口部１２への硬貨の投入案内を行う（Ｓ１２）。その後、確認ボタン押下の確認（Ｓ１３）がYesとなれば、上部シャッタ１を閉じる（Ｓ１４）。確認ボタン押下の確認（Ｓ１３）
がNoであれば、硬貨の投入案内（Ｓ１２）を継続する。上部シャッタ１を閉じる（Ｓ１４）ことにより、下部シャッタ２上に残置された硬貨を上部シャッタ１と下部シャッタ２の隙間１４に取り込む。次に上部シャッタ１を閉じた（Ｓ１４）後、下部シャッタ２を開ける（Ｓ１５）。下部シャッタ２を開ける（Ｓ１５）ことにより、上部シャッタ１と下部シャッタ２の間に取り込まれた硬貨４ａを入出金口３内に落下させて取り込む。次に、入金取引を開始する（Ｓ１６）。
【００２７】
図７(ｃ)は図６で示される実施例３における硬貨の投入、返却処理のフローチャートである。先ず、上部シャッタ１を開けて（Ｓ２１）、図８(ａ)で表されるような開口部１２への硬貨の投入案内を行う（Ｓ２２）。その後、確認ボタン押下の確認（Ｓ２３）がYesとなれば、上部シャッタ１を閉じる（Ｓ２４）。確認ボタン押下の確認（Ｓ２３）がNoであれば、硬貨の投入案内（Ｓ２２）を継続する。上部シャッタ１を閉じる（Ｓ２４）ことにより、下部シャッタ２上に残置された硬貨を押し移動させて入出金口３の前端上面３ｃへ移動させる。次に返却センサ１６のチェックを行い（Ｓ２５）、返却センサ１６で返却硬貨の有無判断（Ｓ２６）がYesであれば、図８(ｂ)で表されるような返却案内（Ｓ２７）を行う。返却硬貨の有無判断（Ｓ２６）でNoであった場合は入金取引を開始する（Ｓ２９）。返却案内（Ｓ２７）を行った後、確認ボタン押下の確認（Ｓ２８）を行い、Yesであれば入金取引を開始する（Ｓ２９）。確認ボタン押下の確認（Ｓ２８）がNoであれば返却案内（Ｓ２７）を継続して行う。なお、ここでは、返却案内を画面表示で行ったが、音声ガイダンスにより行うことも可能である。
【００２８】
上記処理では、硬貨の投入案内（Ｓ０２、Ｓ１２、Ｓ２２）において確認ボタンを表示してボタン押下を確認しているが、確認ボタンを用いずに入出金口３内のセンサ変化が一定時間無ければ硬貨投入完了したものとして扱い、次の上部シャッタ閉（Ｓ０４、Ｓ１４、Ｓ２４）を実行することも可能である。また、返却案内（Ｓ２７）においても確認ボタンを表示してボタン押下を確認しているが、確認ボタンを用いずに返却センサ１６で硬貨が検出されなくなるまで待ち、硬貨が検出されなくなれば次の入金取引（Ｓ２９）を開始することも可能である。
また、上記各実施例では、硬貨を移動させて入出金口に投入するシャッタ形状として平面形状を用いたが、硬貨を移動させて入出金口に投入もしくは入出金口の前端上面に返却できる形状であれば、特にシャッタ形状を平面と規定するものではない。
【図面の簡単な説明】
【００２９】
【図１】実施例１による硬貨処理装置が有する２重シャッタの断面図である。
【図２】本発明が適用される現金自動取引装置の外観図である。
【図３】各実施例に共通する硬貨処理装置の全体構成を示す図である。
【図４】各実施例に共通する硬貨処理装置のブロック構成図である。
【図５】実施例２による硬貨処理装置が有する２重シャッタの断面図である。
【図６】実施例３による硬貨処理装置が有する２重シャッタの断面図である。
【図７】各実施例における硬貨投入、返却処理のフローチャートである。
【図８】各実施例における案内画面の表示例を示す図である。
【符号の説明】
【００３０】
１…上部シャッタ、２…下部シャッタ、２ａ…前縁、３…入出金口、３ａ…前端、３ｂ…後端、３ｃ…前端上面、４…硬貨、４ａ…残置硬貨位置、４ｃ…返却位置、５…繰出し部、６…硬貨識別部、７…入金搬送部、８…一時保留部、９…スタッカ、１０…一括スタッカ、１１…カートリッジ、１２…開口部、１３，１４…隙間、１５…スロープ形状、１６…返却センサ、１００…現金自動取引装置、１０１…硬貨処理装置、１０２…カード・明細票取扱部、１０３…通帳取扱部、１０４…紙幣入出金機構部、１０５…顧客操作部。
【図１】
2008171252.tif 000003
【図２】
2008171252.tif 000004
【図３】
2008171252.tif 000005
【図４】
2008171252.tif 000006
【図５】
2008171252.tif 000007
【図６】
2008171252.tif 000008
【図７】
2008171252.tif 000009
【図８】
2008171252.tif 000010